(57)【要約】【課題】過剰な温度上昇が起こらず、長期間温熱効果を維持することができる温熱用帯を提供する。【解決手段】腹巻１０として、帯状の布部材１の長手方向両端に、ゴム部材２を介して取り付け部材３が設けられ、帯状の布部材１の一面には、その短手方向に開口した複数のポケット部１Ａが設けられた構成とした。そして、ポケット部１Ａには、温熱部材として、食塩１１ａが封入された布袋１１を収容した。【選択図】  図１
2008200238.tif 000002
【特許請求の範囲】
【請求項１】
帯状又は筒状の布部材に、温熱部材を収容可能なポケット部が設けられた温熱用帯において、
前記温熱部材として、食塩が封入された布袋を用いたことを特徴とする温熱用帯。
【請求項２】
前記温熱部材として、前記食塩に加えて活性炭が封入された布袋を用いたことを特徴とする請求項１に記載の温熱用帯。
【発明の詳細な説明】
【技術分野】
【０００１】
本発明は、腹巻やサポーター等のように、身体に装着して用いる温熱用帯に関するものである。
【背景技術】
【０００２】
従来、温熱用帯の一例として、腹巻を構成する布や毛糸等の素材による温熱効果に加えて、腹巻に設けられたポケット部に使い捨てカイロを収容することで温熱効果をより向上させた技術（特許文献１参照）が提案されている。
ここで、使い捨てカイロは、通常、鉄等の金属粉、食塩、活性炭、保水材等が通気性を有する袋に封入され、使用時に袋を空気に晒して金属粉を酸化させることで、この金属粉の酸化熱を利用して温熱効果を得るように構成されている。
【特許文献１】実用新案登録第３１２２７９９号公報
【発明の開示】
【発明が解決しようとする課題】
【０００３】
しかしながら、上述した特許文献1に記載の技術では、腹巻に設けられたポケット部に金属粉の酸化熱による温熱効果が得られる使い捨てカイロを収容しているため、使い捨てカイロの寿命に応じた時間（すなわち、金属粉の酸化が終了するまでの時間）だけしか温熱効果が得られないという不具合や、金属粉の酸化熱は比較的高温であり、過剰な温度上昇が起こるという不具合や、使い終わったカイロの廃棄処分が必要であるという不具合があった。
【０００４】
そこで、本発明は、上記不具合を解消するためになされたものであり、過剰な温度上昇が起こらず、長期間温熱効果を維持することができる温熱用帯を提供することを課題としている。
【課題を解決するための手段】
【０００５】
このような課題を解決するために、本発明に係る温熱用帯は、帯状又は筒状の布部材に、温熱部材を収容可能なポケット部が設けられた温熱用帯において、前記温熱部材として、食塩が封入された布袋を用いた構成としている。
【０００６】
この構成によれば、温熱部材として、食塩が封入された布袋を用いたことにより、温熱用帯を装着した使用者の体温が布袋を介して食塩に蓄熱されることで温熱効果が得られる。よって、上述した特許文献１に記載のように、金属粉の酸化熱を利用した温熱部材（使い捨てカイロ）を用いた場合と比べて、温熱部材が過剰に温度上昇することなく、比較的低温（体温と略同一又は体温よりも若干高めの温度）で温熱することができるため、火傷を防止することが可能となる。
【０００７】
また、この構成によれば、食塩の蓄熱を利用した温熱部材を用いているため、温熱用帯を装着し続ける限り、温熱効果を維持することが可能となる。ここで、温熱部材として用いた食塩は、汗や空気中の水分を吸湿すると、十分な温熱効果が得られなくなるが、布袋を乾燥させて食塩に吸湿された水分を蒸発させることで、再度温熱効果を得ることができる。
【０００８】
すなわち、温熱用帯の不使用時には、食塩が含有された布袋を通気性のないビニール袋に保管して、食塩の吸湿を防止したり、水分が吸湿されてしまった食塩から水分を蒸発させるために布袋を乾燥させたりすることで、温熱部材を廃棄処分することなく、長期間繰り返し用いることができる。
【０００９】
本発明に係る温熱用帯においては、前記温熱部材として、前記食塩に加えて活性炭が封入された布袋を用いた構成としてもよい。この構成によれば、食塩の蓄熱による温熱効果に加えて、活性炭から放出される遠赤外線による温熱効果が得られるため、より優れた温熱効果を得ることが可能となる。
【００１０】
また、この構成によれば、活性炭の吸湿作用により、食塩ではなく活性炭で水分が吸湿されるため、上述したように、布袋を通気性のないビニール袋で保管しなくても、温熱効果を長期間維持することが可能となる。
さらに、この構成によれば、活性炭の脱臭作用により、温熱用帯を装着した使用者の体臭を除去することも可能となる。
【００１１】
なお、本発明において用いる布部材や布袋は、素材自体に温熱効果があり、且つ、体温の伝達が効率よく行われる素材であれば特に限定されない。素材の具体例としては、絹や綿、ナイロンなどが挙げられる。
【発明の効果】
【００１２】
本発明に係る温熱用帯によれば、帯状又は筒状の布部材に設けたポケット部に収納させる温熱部材として、食塩が封入された布袋を用いたことにより、過剰な温度上昇が起こらず、長期間温熱効果を維持することができる。
【００１３】
また、本発明に係る温熱用帯によれば、過剰な温度上昇を生じないことから、該温熱用帯を温かいとは感じても熱いと感じることはないため、夏のエアコンによる身体の冷えに対しても使用可能であるなど、季節を問わず一年中使用することができる。
【００１４】
そしてまた、本発明に係る温熱用帯によれば、食塩の効果により血行が良くなることから、該温熱用帯を当てた箇所だけでなく身体全体が温まり、手先・足先等の末端にまで温熱効果を与え、冷え性などにも非常に有効である。
【発明を実施するための最良の形態】
【００１５】
以下、本発明における実施形態について、図面を参照しながら詳細に説明する。
【００１６】
図１は、本発明に係る温熱用帯の一例として、腹巻を示す斜視図である。
本実施形態における腹巻（温熱用帯）１０は、図1に示すように、帯状の布部材１の長手方向両端に、ゴム部材２を介して取り付け部材３が設けられた構成となっており、帯状の布部材１の一面には、その短手方向に開口した複数（本実施形態では３つ）のポケット部１Ａが設けられ、このポケット部１Ａは、温熱部材として、食塩１１ａが封入された布袋１１を収容できるように構成されている。
【００１７】
ここで、帯状の布部材１とポケット部１Ａに収容する布袋１１とは、同じ素材で構成することが好ましい。
取り付け部材３には、帯状の布部材１の両端を留めて、使用者の腹部に腹巻１０を筒状に装着するための留め具（例えば、フックや貼付テープ等）３１が設けられている。
布袋１１に封入される食塩１１ａは、特に限定されないが、ミネラル分が多く含有された自然塩を用いることが好ましい。
【００１８】
本実施形態の腹巻１０は、使用者が腹部に装着すると、使用者の体温が布部材１及び布袋１１を介して食塩１１ａに蓄熱されることで温熱効果が得られる構成となっている。
このため、本実施形態の腹巻１０によれば、食塩１１ａの蓄熱による温熱効果を利用したものであることから、上述した特許文献１に記載のように、金属粉の酸化熱を利用した温熱部材（使い捨てカイロ）を用いた場合と比べて、温熱部材が過剰に温度上昇することなく、比較的低温（体温と略同一又は体温よりも若干高めの温度）で温熱することができるため、火傷を防止することができる。
【００１９】
また、本実施形態の腹巻１０によれば、使用者が腹巻１０を装着し続ける限り、温熱効果を維持することができる。ここで、温熱部材として用いた食塩１１ａは、汗や空気中の水分を吸湿すると、十分な温熱効果が得られなくなるが、布袋１１を乾燥させて食塩１１ａに吸湿された水分を蒸発させることで、再度温熱効果を得ることができる。
すなわち、腹巻１０の不使用時には、食塩１１ａを封入させた布袋１１を通気性のないビニール袋に保管して、食塩１１ａの吸湿を防止したり、水分が吸湿されてしまった食塩１１ａから水分を蒸発させるために布袋１１を乾燥させたりすることで、温熱部材として用いる食塩が含有された布袋１１を廃棄処分することなく、長期間繰り返し用いることができる。
【００２０】
さらに、本実施形態の腹巻１０によれば、帯状の布部材１の長手方向両端にゴム部材２を介して取り付け部材３を設けたことにより、使用者が装着する際に着脱し易く、また、使用者の体型に応じて適宜腹巻１０の筒径を調整することができる。
【００２１】
なお、本実施形態においては、温熱部材として食塩１１ａのみを封入させた布袋を用いた場合について説明したが、図２に示すように、布袋１１に、食塩１１ａに加えて活性炭１１ｂを封入させてもよい。この時、図２（ａ）に示すように、一つの布袋１１に食塩１１ａと活性炭１１ｂとを混合したものを封入してもよいし、図２（ｂ）に示すように、一つの布袋１１の内部を複数に小分けし、食塩１１ａと活性炭１１ｂとが混合しないように封入してもよい。
【００２２】
これによれば、食塩１１ａの蓄熱による温熱効果に加えて、活性炭１１ｂから放出される遠赤外線による温熱効果が得られるため、より優れた温熱効果を得ることができる。
また、活性炭１１ｂの吸湿作用により、食塩１１ａではなく活性炭１１ｂに水分が吸湿されるため、上述したように、布袋１１を通気性のないビニール袋で保管しなくても、温熱効果を長期間維持することが可能となる。
さらに、この構成によれば、活性炭の脱臭作用により、温熱用帯を装着した使用者の体臭を除去することも可能となる。
【００２３】
ここで、一つの布袋１１に含有させる食塩１１ａと活性炭１１ｂとの含有率は、食塩：活性炭=５：５〜９：１とすることが好ましく、９：１とすることがより好ましい。
【００２４】
また、本実施形態においては、腹巻１０を帯状に構成し、取り付け部材３により使用者の腹部に筒状に装着する構成としたが、腹巻１０の構成はこれに限らず、筒状に構成しても構わない。
【００２５】
さらに、本実施形態においては、温熱用帯として腹巻１０に本発明の技術を適用した場合について説明したが、温熱用帯としてサポーターに本発明の技術を適用しても構わない。
【図面の簡単な説明】
【００２６】
【図１】本発明に係る温熱用帯の一例として、腹巻を示す斜視図である。
【図２】本発明に係る温熱用帯で使用される温熱部材の他の例を示す平面図である。
【符号の説明】
【００２７】
１    布部材
２    ゴム部材
３    取り付け部材
１０    腹巻（温熱用帯）
１１    布袋
１１ａ  食塩
１１ｂ  活性炭
１Ａ    ポケット部
【図１】
2008200238.tif 000003
【図２】
2008200238.tif 000004